(57)【要約】【課題】簡単な構成によって落下防止具が正しく取り付けられているか否かを確実に確認することができる照明装置、及びこの照明装置に用いられる落下防止具を提供する。【解決手段】光源素子２６２を点灯させる点灯電流Ｉｄを供給するための経路である配線材２４６と、前記配線材２４６に接続され前記経路を電気的に開閉可能な開閉部３２０と、前記開閉部３２０より外側の外郭部３００に形成された被係合部３０１と、前記被係合部３０１に係合可能な係合部４２０が設けられた落下防止具４００とを備え、前記係合部４２０が前記被係合部３０１と係合した状態で前記開閉部３２０は閉の状態を維持する。【選択図】          図１
2018060694.tif 000002
【特許請求の範囲】
【請求項１】
光源素子を点灯させる点灯電流を供給するための経路である配線材と、
前記配線材に接続され前記経路を電気的に開閉可能な開閉部と、
前記開閉部より外側の外郭部に形成された被係合部と、
前記被係合部に係合可能な係合部が設けられた落下防止具と、
を備え、
前記係合部が前記被係合部と係合した状態で前記開閉部は閉の状態を維持する照明装置。
【請求項２】
光源素子を点灯させる点灯電流を供給するための経路である配線材と、
前記配線材に接続され前記経路を電気的に開閉可能な開閉部と、
前記開閉部より外側の外郭部に形成された被係合部と、
前記被係合部に係合可能な係合部が設けられた落下防止具と、
を備え、
前記係合部が前記被係合部と係合しない状態で前記開閉部は開の状態を維持する照明装置。
【請求項３】
前記落下防止具は、
一端が照明器具又は前記照明器具が取り付けられている取付部に取付けられ、他端が照明具に取付けられている請求項１又は２に記載の照明装置。
【請求項４】
前記落下防止具は、
前記係合部に係合本体と係合突起が形成されており、
前記被係合部は、
前記係合本体が挿入される挿入孔、前記係合突起が前記挿入される向きに誘導される第１溝部、及び前記係合突起が前記係合本体の中心軸を基準に回転方向に誘導される第２溝部が形成されている請求項１〜３のいずれか一項に記載の照明装置。
【請求項５】
前記落下防止具は、
前記係合突起が前記第２溝部に係合することによって被係合部に係合される請求項４に記載の照明装置。
【請求項６】
一端が照明器具又は前記照明器具が取り付けられている取付部に取付けられ、他端が照明具に取付けられている照明装置用の落下防止具であって、
前記他端には係合部が形成されており、
前記照明具は、
光源素子を点灯させる点灯電流を供給するための経路である配線材と、
前記配線材に接続され前記経路を電気的に開閉可能な開閉部と、
前記開閉部より外側の外郭部に形成された被係合部と、
を備え、
前記係合部が前記被係合部と係合した状態で前記開閉部は閉の状態を維持する照明装置用の落下防止具。
【請求項７】
一端が照明器具又は前記照明器具が取り付けられている取付部に取付けられ、他端が照明具に取付けられている照明装置用の落下防止具であって、
前記他端には係合部が形成されており、
前記照明具は、
光源素子を点灯させる点灯電流を供給するための経路である配線材と、
前記配線材に接続され前記経路を電気的に開閉可能な開閉部と、
前記開閉部より外側の外郭部に形成された被係合部と、
を備え、
前記係合部が前記被係合部と係合しない状態で前記開閉部は開の状態を維持する照明装置用の落下防止具。
【発明の詳細な説明】
【技術分野】
【０００１】
本発明は、光源として発光ダイオード（Ｌｉｇｈｔ  Ｅｍｉｔｔｉｎｇ  Ｄｉｏｄｅ：ＬＥＤ）を用いた照明装置、及び照明装置の落下防止策として用いる落下防止具に関し、特に、落下防止具を用いたインターロック機構に関する。
【背景技術】
【０００２】
従来、天井や梁などの高所に設置して用いられる照明装置があり、このような照明装置では、多重の安全策を講じる必要性から落下防止具が用いられていた（例えば、特許文献１参照）。
特許文献１には、口金付きランプと、当該口金付きランプを装着可能な照明器具本体と、一端が口金付きランプに接続され他端が照明器具本体に接続されるワイヤとを有し、一端と他端との間のワイヤの中間部は照明器具本体に接続され、ワイヤは、口金付きランプの口金の回転を規制するように一端と中間部との間で張られた状態で設けられる照明装置が開示されている。
【先行技術文献】
【特許文献】
【０００３】
【特許文献１】特開２０１５−０２８８６２号公報
【発明の概要】
【発明が解決しようとする課題】
【０００４】
一般に、高所等に設置して用いられる照明装置の場合、落下防止具は照明装置と同様に照明装置の設置業者によって取り付けられ、設置が完了すると設置業者から施主あるいは施設の所有者に引き渡される。
しかしながら、特許文献１の照明装置では、ランプ及び照明器具に対してワイヤが正しく接続されているか否かについて、確実に把握することが難しいという課題があった。
【０００５】
本発明は上記の課題を鑑みてなされたものであり、その目的は、簡単な構成によって落下防止具が正しく取り付けられているか否かを確実に確認することができる照明装置、及びこの照明装置に用いられる落下防止具を提供することである。
【課題を解決するための手段】
【０００６】
本発明の一態様に係る照明装置は、
光源素子を点灯させる点灯電流を供給するための経路である配線材と、
前記配線材に接続され前記経路を電気的に開閉可能な開閉部と、
前記開閉部より外側の外郭部に形成された被係合部と、
前記被係合部に係合可能な係合部が設けられた落下防止具と
を備え、
前記係合部が前記被係合部と係合した状態で
前記開閉部は閉の状態を維持する。
【発明の効果】
【０００７】
本発明の一態様に係る照明装置によれば、
落下防止具が取り付けられた状態の照明装置に通電して点灯又は消灯の状態を確認するだけで、落下防止具が正しく取り付けられているか否かを確実に確認することができる
【図面の簡単な説明】
【０００８】
【図１】実施の形態１に係る照明装置の正面部分断面図。
【図２】実施の形態１に係る照明具の斜視図。
【図３】実施の形態１に係る落下防止具の斜視図。
【図４】実施の形態１に係るインターロック機構を示す概念図であり、（ａ）は状態１を説明する図、（ｂ）は（ａ）におけるＣ−Ｃ断面図。
【図５】実施の形態１に係るインターロック機構を示す概念図であり、（ａ）は状態２を説明する図、（ｂ）は（ａ）におけるＤ−Ｄ断面図。
【図６】実施の形態１に係る変形例１の構成を示す概念図。
【図７】実施の形態１に係る変形例２の構成を示す概念図。
【図８】実施の形態１に係る変形例３の構成を示す概念図。
【図９】実施の形態１に係るインターロック機構の状態遷移を説明する図。
【図１０】実施の形態１に係る落下防止具が正しく取り付けられていない別の状態を説明する照明装置の照明面部分断面図。
【０００９】
以下、本発明の実施の形態について、図を用いて説明する。なお、以下に説明する実施の形態によって本発明が限定されるものではない。また、以下の図面では各構成部材の大きさの関係が実際のものとは異なる場合がある。また、実施の形態の説明において、上、下、左、右、前、後、表、裏といった向きあるいは位置が示されている場合、それらの表記は、説明の便宜上、そのように記載しているだけであって、装置、器具、部品等の配置や向き等を限定するものではない。
以下の説明において、金属とは、アルミニウム又はその他の金属材料を含む金属であり、アルミニウムが好適である。
また、樹脂とは、アクリル、ポリカーボネート（ＰＣ）又はその他の樹脂材料を含む樹脂であり、アクリルが好適である。
【００１０】
実施の形態１．
本発明は、インターロック機構を構成する照明具及び落下防止具、これらを用いた照明装置に関するものである。
【００１１】
実施の形態１．
＊＊構成の説明＊＊
図１は、本実施の形態に係る照明装置１０００の正面部分断面図である。
図２は、本実施の形態に係る照明具２００の斜視図である。
図３は、本実施の形態に係る落下防止具４００の斜視図である。
【００１２】
図１に示すように、照明装置１０００は、吊下げタイプの照明器具１００と照明器具１００に着脱自在に装着される照明具２００と照明具２００の落下を防止する落下防止具４００を備えている。
【００１３】
＜照明器具１００＞
照明器具１００は、天井面や梁などの取付部（図示省略）に取り付けられる。
照明器具１００は、吊具１１０とソケット１２０と通気筒１４０と笠１５０とを有する。
照明器具１００は、天井面や梁などの取付部（図示省略）から吊具１１０によって吊り下げられている。
中心軸Ｏは、照明装置１０００および照明具２００の略中心を通る軸である。
照明具２００は、照明器具１００のソケット１２０に装着される。
落下防止具４００は、一端が照明器具２００の吊具１１０に取付けられ、他端が照明具２００に取付けられる。
【００１４】
＜照明具２００＞
図２に示すように、照明具２００は、口金２１０、接続部２２０、固定部２３０、本体部２４０、光源部２６０、カバー２９０、及びカバーキャップ３００を有する。
中心軸Ｏは、照明具２００の略中心を通る軸であり、照明装置１０００の中心軸に略重なる軸である。
このうち、口金２１０、接続部２２０、固定部２３０、本体部２４０、カバー２９０、及びカバーキャップ３００の少なくとも一部は、照明具２００の外郭部を構成している。
【００１５】
口金２１０は照明器具１００ソケット１２０に螺着固定される。
口金２１０には接続部２２０が螺着又は嵌着した状態で固定される。
接続部２２０は、照明器具１００のソケット１２０に接続され、外部電源に電気的に接続される部分である。
接続部２２０は、口金２１０を保持するとともに、ネジ２５０を用いて本体部２４０の保持部（アーム）２４１を固定する。
接続部２２０は、内部に配線材２４６（図示省略）を挿通可能な空間が設けられている。
配線材２４６は、口金２１０と光源部２６０とを電気的に接続する。
配線材２４６は、好ましくは、光源部２６０と接続部２２０との間にストレスフリーに配置される配線筒２４５（図示省略）の内部に挿通される。
本実施の形態において、配線材２４６は光源を点灯させる点灯電流Ｉｄを供給するための経路である。本実施の形態において、点灯電流Ｉｄは照明具２００の外部で生成される。
【００１６】
光源部２６０は、光源を有する光源ユニットである。
光源部２６０は、光源基板２６１と光源素子２６２とを有する。光源部１００は、少なくとも一つ以上の光源素子２６２を有しており、光源基板２６１には、複数の光源素子２６２が配列されて実装されている。
本実施の形態において、光源素子２６２は、光源基板２６１に面実装されるＬＥＤ素子である。ＬＥＤ素子としては、例えば、４４０〜４８０ｎｍ程度の波長の青色光を発するＬＥＤチップ上に青色光を黄色光に波長変換する蛍光体を配してパッケージ化した擬似白色ＬＥＤを用いることができる（ＬＥＤパッケージ）。
図２に示すように、本実施の形態において、光源素子２６２がＬＥＤパッケージであり、光源基板２６１がＬＥＤ基板である場合を示している。光源素子２６２は、同心円状に配置されている。
【００１７】
光源基板２６１は、スタビライザ２８０を用いて中央部分が受熱部２４４に固定されている。つまり、光源基板２６１は、スタビライザ２８０と受熱部２４４との間に挟まれた状態で受熱体２６０に固定されている。
光源基板２６１と受熱部２４４との間には、シート状の絶縁部（絶縁シート）２７０が挟まれた状態で固定されている。
本実施の形態において、受熱体２６０に対する光源基板２６１の固定には金属部品を用いておらず、光源基板２６１金属部品と離間した状態で固定されている。
【００１８】
カバー２９０は、光源部２６０を覆った状態で配置されている。カバーキャップ３００は、カバー２９０の周縁部と本体部２４０の光源部２６０側の端部とを覆った状態でネジ３１０によって固定されている。
カバーキャップ３００の外周面には、中心軸０に向かって係合部挿入孔３０１が形成されている。
係合部挿入孔３０１は、後述する落下防止具４００の他端に設けられた係合部４２０が係合される被係合部である。
係合部挿入孔３０１は、断面が略円筒形状の挿入校３０２、挿入孔３０２の中心軸Ｒを挟んで水平方向に対向して配置された１組の第１溝部３０３、及び第１溝部３０３の周端部から、挿入孔３０２の周方向に連通するように配置された１組の第２溝部３０４からなる。
本実施の形態では、１組の第１溝部３０３は、係合部挿入孔３０１の開口から中心軸０に向かって略平行に形成されている。
本実施の形態では、第１溝部３０３及び第２溝部３０４はそれぞれ２個１組で形成されているが、それぞれの数は、後述する落下防止具４００の他端に形成された係合部４２０の態様に対応するように形成されればよく、それぞれ１個、あるいは３個以上形成されてもよい。
【００１９】
本体部２４０は、保持部（アーム）２４１、接続板部２４２、放熱片（フィン）２４３、受熱部２４４（図示省略）、及び配線筒２４５（図示省略）を有する。
本実施の形態において、保持部（アーム）２４１は、ヒートシンクの一部を兼ねたものであり、光源部２６０と接続部２２０との間に配置されている。
本体部２４０は、複数の保持部（アーム）２４１を有しており、複数の保持部（アーム）２４１は、それぞれ受熱体２４４と接続部２２０とに固定されている。
本実施の形態において、保持部（アーム）２４１は、４個存在しており、９０度間隔で、十字型に配置されている。
【００２０】
図２に示すように、本体部２４０は、光源素子２６２の動作熱を放熱するためのヒートシンクであり、光源部２６０の背後に配置されている。
受熱部２４４は、光源部２６２が取り付けられており、光源部２６２の動作熱を受け渡す放熱部である。
放熱片（フィン）２４３は、放熱部である板状の放熱フィンである。
保持部（アーム）２４１は金属製の板であり、受熱部２４４と接続部２２０とを接続している。
保持部（アーム）２４１は、放熱片（フィン）２４３を兼ねており、受熱部２４４から接続部２２０にかけて延設されている。
受熱部２４４は、表面に光源部２６０を固定しており、複数の放熱片（フィン）２４３は、受熱部２４４の裏面に固定されている。
固定部２３０は、接続板部２４２と接続部２２０とを固定する。
【００２１】
＜落下防止具４００＞
図３に示すように、落下防止具４００は、ワイヤ部４１０と係合部４２０と圧着部４３０と環状部４４０とを有する。
本実施の形態において、ワイヤ部４１０、係合部４２０、圧着部４３０及び環状部４４０は、いずれも金属材料を用いて形成されている。
ワイヤ部４１０の一端は環状部４４０を形成した状態で圧着部４３０によって圧着されており、他端には係合部４２０が圧着されている。
図３に示すように、圧着部４３０はワイヤ部４１０の一端のみを完全に圧着し、一端より他端側である環状部４４０の端部は挿通可能に保持している。つまり、圧着部４３０は矢印Ａ又はＢの向きにスライド可能であり、圧着部４３０をスライドすることによって環状部４４０の大きさを調整することができる。
図３に示すように、係合部４２０は、ワイヤ部４１０の他端における中心軸方向に沿って略円筒形に形成された係合本体４２１とワイヤ部４１０の方向に直交する方向に突出した係合突起４２２を有する。
落下防止具４００は、照明器具２００の吊具１１０に少なくとも１回以上巻き付けた状態で、係合部４２０を環状部４４０に挿通させて吊具１１０に取付ける。
【００２２】
＊＊インターロック機構の説明＊＊
図４は、実施の形態１に係るインターロック機構を示す概念図であり、（ａ）は係合部４２０を係合部挿入孔３０１に挿入している状態（状態１）を説明する図、（ｂ）は（ａ）におけるＣ−Ｃ断面図である。
図５は、実施の形態１に係るインターロック機構を示す概念図であり、（ａ）は係合部４２０が係合部挿入孔３０１に係合している状態（状態２）を説明する図、（ｂ）は（ａ）におけるＤ−Ｄ断面図である。
【００２３】
＜構成の説明＞
中心軸Ｒは、係合本体４２１の筒方向略中心を通る軸であり、係合部４２０の回動軸である。
図４，５に示すように、インターロック機構は係合部４２０、係合部挿入孔３０１、及び開閉部３２０を有する。
係合部挿入孔３０１の挿入孔３０２は、係合本体４２１が挿入可能な孔である。
係合部挿入孔３０１の第１溝部３０３は、係合突起４２２を係合部挿入孔３０１の開口から中心軸０に向かって誘導する溝である。
係合部挿入孔３０１の第２溝部３０４は、係合突起４２２を第１溝部３０３の最深部から中心軸Ｒを基準に回動方向に誘導する溝である。
【００２４】
各寸法の関係は以下の通りである。
Ｄ２＜Ｄ３
Ｌ１＜Ｌ２
Ｄ１＜Ｗ１
Ｄ４＞Ｗ２
Ｄ１：係合突起４２２の直径寸法
Ｄ２：係合本体４２１の直径寸法
Ｄ３：挿入孔３０２の直径寸法
Ｄ４：第２溝部３０４の直径寸法
Ｌ１：第１溝部３０３の深さ寸法
Ｌ２：係合本体４２１の長さ寸法
Ｗ１：第１溝部３０３の幅寸法、第２溝部３０４の幅寸法
Ｗ２：係合突起４２２間の距離寸法（最大突出寸法）
【００２５】
押圧部３４０は、係合部４２０が係合部挿入孔３０１に係合された状態で、係合部４２０から受ける押圧を開閉部３２０の第１切換片３２３に伝達する。
押圧部３４０は、弾性変形の性質を有してもよい。これによって、開閉部３２０に過度な押圧が加わることを抑制できる。また、係合部に反力が加わるので、照明具２００に対して外部から振動などが加わった場合でも係合状態を確実に維持することができる。
開閉部３２０は、点灯電流Ｉｄの供給経路（配線材の経路）の途中に設けられている。
本実施の形態において、開閉部３２０は、光源部２６０の入力側に配置されている。
本実施の形態において、開閉部３２０はノーマリ・オープンのプッシュ・スイッチである。
開閉部３２０は配線材２４６に接続されている。詳しくは、第１端子３２１が電源部５００の側に、第２端子３２２が光源部２６０の側に接続されている。
絶縁部３３０は、落下防止具４００と開閉部３２０との絶縁性能を維持するために配置されている。絶縁部３３０は水密性を維持する機能を有していてもよい。
【００２６】
＜動作の説明＞
開閉部３２０は、係合部４２０の状態に応じて開閉状態を切り換えて点灯電流Ｉｄを遮断又は通過させる。
詳しくは、係合部４２０が係合部挿入孔３０１に係合されていない状態では、開閉部３２０の第１切換片３２３が押圧部３４０に押圧されないため、第１切換片３２３は第１端子３２１と第２端子３２２とに接触せず点灯電流Ｉｄの供給経路は形成されない。そして、係合部４２０が係合部挿入孔３０１に係合された状態では、開閉部３２０の第１切換片３２３が押圧部３４０に押圧されるため、第１切換片３２３が第１端子３２１と第２端子３２２とに接触して点灯電流Ｉｄの供給経路が形成される。
すなわち、落下防止具４００が備えた係合部４２０が、照明具２００の係合部挿入孔３０１に係合されていない場合は、開閉部３２０は「開」の状態（状態１）を維持するので点灯電流Ｉｄは供給されず、光源部２６０の光源素子２６２は発光しない。そして、落下防止具４００が備えた係合部４２０が、照明具２００の係合部挿入孔３０１に係合されている場合は、開閉部３２０は「閉」の状態（状態２）を維持するので点灯電流Ｉｄが供給され、光源部２６０の光源素子２６２が発光する。
【００２７】
＜効果の説明＞
以上説明した通り、本実施の形態に係る照明装置１０００は、落下防止具４００が備えた係合部４２０が照明具２００に正しく接続されていることを条件として通常動作に移行するインターロック機構を備えている。このため、照明具２００が通常動作を維持している状態は、少なくとも落下防止具４００の照明装置２００への接続は正しく行なわたものと判断ができる。
【００２８】
＊＊インターロック機構の変形例＊＊
以下、インターロック機構の変形例について、図を用いて説明する。なお、実施の形態１と異なる点を中心に説明し重複する部分は説明を省略する。
【００２９】
（変形例１）
図６は、実施の形態１に係る変形例１の構成を示す概念図である。
変形例１に係るインターロック機構は、開閉部３２０が光源部２６０の出力側に配置されており、係合部４２０の状態に応じて低電圧回路側で開閉状態を切り換えて点灯電流Ｉｄを遮断又は通過させる。
開閉部３２０をこのように配置することによって、開閉部３２０は低電圧回路として使用できる。このため、開閉部３２０及び開閉部３２０の配置箇所の絶縁要求が緩和されるので、部品コストの削減、照明具３２０の小型化及び軽量化に繋がる。
【００３０】
（変形例２）
図７は、実施の形態１に係る変形例２の構成を示す概念図である。
変形例２に係るインターロック機構は、開閉部３２０が電源部５００の入力側に配置されており、係合部４２０の状態に応じて電源部５００に対する交流電力の供給又は停止の切換を行う。開閉部３２０は、交流電力入力端（Ｌ／Ｎ）のうち片側の入力端（Ｌ）の開閉を行う。
電源部５００に交流電力が供給されていない場合には、点灯電流Ｉｄは供給されず、光源部２６０の光源素子２６２が発光しない。そして、電源部５００に交流電力が供給されている場合には、点灯電流Ｉｄは供給され、光源部２６０の光源素子２６２が発光する。
このような構成は、例えば照明装置１０００の内部に電源部５００を備える場合などに好適である。すなわち、落下防止具４００が正しく接続されていない場合に電源部５００への電力供給を行わないので、無用な電力消費を抑制することができる。
【００３１】
（変形例３）
図８は、実施の形態１に係る変形例３の構成を示す概念図である。
変形例３に係るインターロック機構は、開閉部３２０ａが電源部５００の入力側に配置されており、係合部４２０の状態に応じて電源部５００に対する交流電力の供給又は停止の切換を行う。開閉部３２０ａは、交流電力入力端（Ｌ／Ｎ）の両側の開閉を行う点が変形２と異なる。
このような構成としたことによって、落下防止具４００が正しく接続されていない場合に電源部５００への電力供給を行わないので、無用な電力消費を抑制することができ、さらに外来ノイズなどが混入するリスクを抑制することができる。
【００３２】
＜本発明の効果＞
図９は、本発明の特徴を説明する表である。
図９に示す通り、本発明に係る照明装置１０００は、係合部４００の状態が正しく接続されていない「非係合の状態（状態１）」である場合に、開閉部３２０（３２０ａ）の状態は必ず「開の状態（状態１）」となる。そして、係合部４００の状態が正しく接続されている「係合の状態（状態２）」である場合に、開閉部３２０（３２０ａ）の状態は必ず「閉の状態（状態１）」となる。
このため、落下防止具４００を用いて施工された照明装置１０００は、点灯検査を行うことによって簡単に落下防止具４００が正しく接続されているか否かを確認できる。施工完了時の確認や、施主、家主などへの引き渡し時の確認が確実且つ短時間で実施することができるので、施工の品質向上と効率化が達成可能である。
【００３３】
図１０は、実施の形態１に係る落下防止具が正しく取り付けられていない別の状態を説明する照明装置の照明面部分断面図であり、落下防止具４００の一端が、照明器具２００の吊具１１０に正しく取付けられていない様子を示している。
図１０に示す通り、落下防止具４００の一端が、照明器具２００の吊具１１０に正しく取付けられていない場合は、落下防止具４００全体が照明具２００の下方へ垂下するので、正しく取付けられていないことを簡単に視認できる。なお、落下防止具４００が正しく取り付けられた状態では下方から視認できないので、視認性を高めた落下防止具４００を用いても差し支えない。例えば、視認性を高める色や注意喚起表示を付帯するなどの方法が採用できる。
【００３４】
＜その他＞
以上、本発明の実施の形態１及び変形例について説明したが、これらの実施の形態あるいは変形例を組み合わせて実施しても構わない。あるいは、これらの実施の形態あるいは変形例のうち、１つを部分的に実施しても構わない。あるいは、これらの実施の形態を部分的に組み合わせて実施しても構わない。なお、本発明は、これらの実施の形態に限定されるものではなく、必要に応じて種々の変更が可能である。
【００３５】
例えば、上記の実施の形態において、光源部２６０は、パッケージ化された面実装型（ＳＭＤ型）のＬＥＤ素子を用いた態様について説明したが、これに限らない。光源部１００は、複数のＬＥＤチップが基板上に直接実装され、複数のＬＥＤチップを蛍光体含有樹脂によって一括して封止した構成であるＣＯＢ（Ｃｈｉｐ  Ｏｎ  Ｂｏａｒｄ）型の光源部１００であってもよい。
【００３６】
また、上記の実施の形態において、光源部２６０は、青色ＬＥＤチップと黄色蛍光体とによって白色光を放出するように構成したが、これに限らない。例えば、赤色蛍光体及び緑色蛍光体を含有する蛍光体含有樹脂を用いて、これと青色ＬＥＤチップと組み合わせることによりに白色光を放出するように構成してもよい。また、青色以外の色を発光するＬＥＤチップを用いてもよく、例えば、青色ＬＥＤチップが放出する青色光よりも短波長である紫外光を放出する紫外ＬＥＤチップを用いて、主に紫外光により励起されて青色光、赤色光及び緑色光を放出する青色蛍光体粒子、緑色蛍光体粒子及び赤色蛍光体粒子によって白色光を放出するように構成してもよい。
【００３７】
そして、上記の実施の形態において、発光素子としてＬＥＤを例示して説明したが、固体レーザ（Ｓｏｌｉｄ  Ｓｔａｔｅ  Ｌａｓｅｒ）、半導体レーザ（Ｓｅｍｉｃｏｎｄｕｃｔｏｒ  Ｌａｓｅｒ）、有機ＥＬ（ＥｌｅｃｔｒｏＬｕｍｉｎｅｓｃｅｎｃｅ）または無機ＥＬなどの発光素子を用いてもよい。
発光素子の数は、複数に限らず、１つであってもよい。
【００３８】
さらに、カバー２９０の材料は、樹脂に限らず、ガラス材であってもよい。また、カバー２９０の少なくとも一部に光を出射可能な透光性の領域があればよいため、出射可能な領域の材料を透光樹脂、出射不可能な領域の材料を白色高反射樹脂としてもよい。
【００３９】
そして、上記の実施の形態において、開閉部３２０（３２０ａ）は、ノーマリ・オープンのプッシュ・スイッチを例示して説明したが、これに限らない。例えば、ノーマリー・オープンの条件であれば、プル・スイッチ、トグル・スイッチ、スライド・スイッチ、ロータリースイッチ、電子的に開閉を行う電子スイッチなどを採用することができ、開閉部の態様に合わせて係合部の態様を適宜変更することができる。
【００４０】
なお、上記の実施の形態において、落下防止具４００の一端は、照明器具１００の吊具１１０に取り付けられるものとして説明したが、これに限らず、天井面や梁などの取付部に取付けられてもよい。
【符号の説明】
【００４１】
１００  照明器具、１１０  吊具、１２０  ソケット、１３０  ネジ、１４０  通気筒、１５０  笠、１６０  ネジ、２００  照明具（照明ランプ）、２１０  口金、２２０  接続部、２３０  固定部、２４０  本体部、２４１  保持部（アーム）、２４２  接続板部、２４３  放熱片（フィン）、２４４  受熱部、２４５  配線筒、配線材  ２４６、２５０  ネジ、２６０  光源部、２６１  光源基板、２６２  光源素子、２７０  絶縁部、２８０  スタビライザ、２９０  カバー、３００  カバーキャップ、３０１  係合部挿入孔、３０２  挿入孔、３０３  第１溝部、３０４  第２溝部、３１０  ネジ、３２０，３２０ａ  開閉部、３２１  第１端子、３２２  第２端子、３２３  第１切換片、３２４  第３端子、３２５  第４端子、３２６  第２切換片、３３０  絶縁部、３４０  押圧部、４００  落下防止具、４１０ワイヤ部、４２０係合部、４２１  係合本体、４２２  係合突起、４３０  圧着部、４４０  環状部、５００  電源部、６００  交流電源、  １０００  照明装置、Ｏ  照明装置中心軸、Ｒ  係合部回動軸。
【図１】
2018060694.tif 000003
【図２】
2018060694.tif 000004
【図３】
2018060694.tif 000005
【図４】
2018060694.tif 000006
【図５】
2018060694.tif 000007
【図６】
2018060694.tif 000008
【図７】
2018060694.tif 000009
【図８】
2018060694.tif 000010
【図９】
2018060694.tif 000011
【図１０】
2018060694.tif 000012